(57)【要約】【課題】プッシュツートークコールを開始する方法を提供すること。【解決手段】ワイヤレス通信ネットワークにおけるターゲットハンドセットは、正確にターゲットハンドセットを配置するために、最初にページメッセージを送信せずに、複数の基地局を介して同報通信するＰＴＴコールアナウンスメッセージを受信する。複数の基地局は、ターゲットセットが位置される地理的領域をカバーする。従って、ターゲットハンドセットを正確に配置するために、最初にページメッセージを同報通信することによって生じるコールセットアップの遅延は取り除かれる。順方向共通制御チャンネル（「ＦＣＣＣＨ」）において利用可能である帯域幅は、ネットワークへの質の低下を有することなく、より大きなメッセージを扱うに十分であるゆえ、より大きなアナウンスメッセージを同報通信するためのネットワーク上での追加的な負担は僅かである。【選択図】図２
2011050078.tif 000002
【特許請求の範囲】
【請求項１】
無線通信ネットワークを介して呼び出しハンドセットと受信者ハンドセットとの間でプッシュツートークコールを開始する方法であって、
基地局が、無線通信ネットワークにおいて、逆方向リンクチャンネルを介して、呼び出しハンドセットからプッシュツートーク開始要求を受信することと、
該基地局が、該呼び出しハンドセットと該受信者ハンドセットとの間で通信リンクを確立することであって、該通信リンクを確立することは、該逆方向リンクチャンネルのプッシュツートーク開始要求をインターネットプロトコルのプッシュツートーク開始要求メッセージに変換することを含む、ことと、
該基地局が、該インターネットプロトコルのプッシュツートーク開始要求メッセージをプッシュツートークサーバに送信することと、
該プッシュツートークサーバが、該インターネットプロトコルのプッシュツートーク開始要求に対応するインターネットプロトコルのプッシュツートークアナウンスメッセージを形成することと、
該プッシュツートークサーバが、該インターネットプロトコルのプッシュツートークアナウンスメッセージを複数の基地局に送信することであって、該複数の基地局が、該受信者ハンドセットが位置することが期待される地理的領域をカバーする、ことと、
該複数の基地局のそれぞれが、該受信者ハンドセットに送信されるべき制御チャンネルプッシュツートークアナウンスメッセージを形成することと、
該複数の基地局が、該制御チャンネルプッシュツートークアナウンスメッセージを同報通信することと、
該プッシュツートークサーバが、逆方向リンクチャンネルを介して、第１の基地局において、該受信者ハンドセットから、該プッシュツートークアナウンスメッセージに対応するアクノリッジメッセージを受信することと、
該ネットワークサーバが、該アクノリッジメッセージを受信したことに応答して、該呼び出しハンドセットにステータスメッセージを送信することと、
該呼び出しハンドセットが、該ステータスメッセージを受信したことに応答して、オーディオチャンネルを開くことと
を含む、方法。
【請求項２】
前記ワイヤレス通信ネットワークが符号分割多重接続ネットワークである、請求項１
に記載の方法。
【請求項３】
前記同報通信することが、制御チャンネルにおいて、前記アナウンスメッセージを送信することをさらに含む、請求項１に記載の方法。
【請求項４】
前記制御チャンネルが順方向共通制御チャンネルである、請求項３に記載の方法。
【請求項５】
前記アクノリッジメッセージが制御チャンネルにおいて受信される、請求項１に記載の方法。
【請求項６】
前記制御チャンネルが逆方向拡張アクセスチャンネルである、請求項５に記載の方法。
【発明の詳細な説明】
【技術分野】
【０００１】
（関連出願の参照）
本出願は、同時所有の、「ＯＰＴＩＭＩＺＥＤ  ＰＵＳＨ−ＴＯ−ＴＡＬＫ  ＣＡＬＬ
ＳＥＴＵＰ」と題された、同時係属の米国特許出願番号第１０／７３０，５２０号に関連し、その全体においてここで援用される。
【０００２】
本発明は一般に、ワイヤレス通信に関し、より詳細には、ワイヤレス通信機器間のプッシュツートーク通信を確立することに関する。
【背景技術】
【０００３】
ワイヤレス通信ネットワークを介したプッシュツートーク（「ＰＴＴ」）コールを確立する従来のシステムおよび方法は、コールのセットアップに相当の時間を費やす。通常、ヘッドセットの要求からのコールメッセージは、ＰＴＴによって受信され、その後、ターゲットヘッドセットにアナウンスメッセージを発送する。ターゲットメッセージにアナウンスメッセージを送信するために、ターゲットハンドセットが最初に配置されなければならない。従って、従来のシステムはまず最初に、正確にターゲットハンドセットを配置するために、所定の地理的領域全体にページメッセージを同報通信する。
【０００４】
いったんハンドセットがページメッセージに応答し、それによって、ワイヤレス通信ネットワークの特定のセルにおけるその配置を識別すると、アナウンスメッセージは、特定のセルの特定の基地局を介して、ターゲットハンドセットへ送信される。ＰＴＴコールを確立するこれらの従来の方法の重要な不利益は、ターゲットハンドセットを配置するために要求される時間量である。ワイヤレス通信ネットワークにおけるハンドセットの定期的な登録が通常、要求され、登録メッセージ間の時間の経過は、数分から数時間の間で変化し得る。その結果、ターゲットハンドセットの位置は、ハンドセットが最近、ネットワークに登録されておらず、移動した場合、広い地理学的領域に亘って送信される、多数のページメッセージを要求し得る。これらの多数のページメッセージはＰＴＴのコールセットアップにかかる時間を増加させる。
【０００５】
付け加えて、いったんターゲットハンドセットが配置され、受信され、アナウンスメッセージに応答すると、ＰＴＴサーバは、状態メッセージを、その要求ハンドセットに送信する。しかしながら、ワイヤレス通信ネットワークがＰＴＴコールのためのトラフィックチャンネルを確立するまで、接続状態メッセージは基地局において遅延される。いったんトラフィックチャンネルが確立されると、次いで接続状態メッセージは、トラフィックチャンネルを介して、その要求ハンドセットに送信される。その接続状態メッセージを搬送することにおける遅延は、ＰＴＴコールのセットアップにかかる時間を相当に増加させる。
【０００６】
それゆえ、必要なものは、ワイヤレス通信機器間のプッシュツートーク通信を迅速および効率的に確立し、上述したような従来のシステムにおいて見出される時間を消費してしまう手続きを克服する、システムおよび方法である。
【発明の概要】
【課題を解決するための手段】
【０００７】
プッシュツートークを確立するために、従来のシステムによって要求された相当な時間は、ワイヤレス通信の分野において重要な問題である。概して、従来のシステムは、ＰＴＴコールを確立するために、２．５秒の時間を必要とする。本発明は、ＰＴＴコールを確立するための改良された方法を提供し、従来のセットアップ時間を相当に低減する。
【０００８】
ＰＴＴコールアナウンスメッセージがターゲットハンドセットへ、ＰＴＴサーバによって送信される場合、そのアナウンスメッセージは、ターゲットハンドセットが位置されると考えられる地理的領域をカバーする複数の基地局を介して同報通信される。従って、ターゲットハンドセットを正確に配置するために、最初にページメッセージを同報通信することによって生じるコールセットアップの遅延は取り除かれる。より大きなアナウンスメッセージを同報通信するために、ネットワーク上での追加的な負担は僅かであり、というのは、順方向共通制御チャンネル（「ＦＣＣＣＨ」）において利用可能である帯域幅は、ネットワークへの質の低下を有することなく、より大きなメッセージを扱うに十分であるからである。
（項目１）
ワイヤレス通信ネットワークを介したプッシュツートークコールを開始するための方法であって、
ワイヤレス通信ネットワークを介して、呼び出しハンドセットからのプッシュツートーク開始要求を受信することであって、該要求が受信者ハンドセットを識別する、ことと、
該プッシュツートーク要求をアナウンスメッセージに変換することと、
該アナウンスメッセージを該受信者ハンドセットにアドレスすることと、
該ワイヤレス通信ネットワークを介して、該アナウンスメッセージを同報通信することであって、該アナウンスメッセージが複数の基地局を介して送信される、ことと
を包含する、方法。
（項目２）
上記ワイヤレス通信ネットワークが符号分割多重接続ネットワークである、項目１に記載の方法。
（項目３）
上記同報通信するステップが、制御チャンネルにおいて、上記アナウンスメッセージを送信することをさらに包含する、項目１に記載の方法。
（項目４）
上記制御チャンネルが順方向共通制御チャンネルである、項目３に記載の方法。
（項目５）
上記アナウンスメッセージに応答して、承認メッセージを受信することをさらに包含する、項目２に記載の方法。
（項目６）
上記承認メッセージが制御チャンネルにおいて受信される、項目５に記載の方法。
（項目７）
上記制御チャンネルが逆方向拡張アクセスチャンネルである、項目６に記載の方法。
（項目８）
ワイヤレス通信ネットワークを介して、プッシュツートークコールを開始するシステムであって、
ワイヤレス通信ネットワークにおいて、無線通信のために構成されたターゲットハンドセットと、
該ターゲットハンドセットと無線にて通信するように構成可能である、複数の基地局と、
を備え、
プッシュツートークアナウンスメッセージが、該複数の基地局を介して、該ターゲットハンドセットに同報通信される、システム。
（項目９）
上記ワイヤレス通信ネットワークが符号分割多重接続ネットワークである、項目８に記載のシステム。
（項目１０）
上記ワイヤレス通信ネットワークにおいて、複数の制御チャンネルをさらに備え、上記プッシュツートークアナウンスメッセージが、順方向共通制御チャンネルにおいて、上記ターゲットハンドセットへ同報通信される、項目９に記載のシステム。
（項目１１）
プッシュツートークサーバをさらに備え、該プッシュツートークサーバが上記プッシュツートークアナウンスメッセージを開始する、項目８に記載のシステム。
（項目１２）
第１の基地局が、上記アナウンスメッセージに応じて、上記ターゲットハンドセットから承認メッセージを受信する、項目８に記載のシステム。
（項目１３）
上記承認メッセージが、制御チャンネルにおいて、上記第１の基地局によって受信される、項目１２に記載のシステム。
（項目１４）
上記制御チャンネルが逆方向拡張アクセスチャンネルである、項目１３に記載のシステム。
【図面の簡単な説明】
【０００９】
【図１】プッシュツートークコールを容易にするように構成された、例示的なワイヤレス通信システムを例示するネットワーク図である。
【図２】ワイヤレス通信ネットワークを介してプッシュツートークコールを確立するためのメッセージの例示的なシーケンスを例示するフロー図である。
【図３】ワイヤレス通信ネットワークにおける複数のセルを例示するブロック図である。
【図４】ワイヤレス通信機器における例示的な音声チャンネルを例示するブロック図である。
【図５】ワイヤレス通信ネットワークを介してプッシュツートークコールを確立するための例示的な、要求ハンドセットのプロセスを示すフロー図である。
【図６】ワイヤレス通信ネットワークを介してプッシュツートークコールを確立するための例示的なターゲットハンドセットのプロセスを示すフロー図である。
【図７】ここで記載される様々な実施形態に関連して使用され得る例示的なワイヤレス通信機器を示す、ブロック図である。
【図８】ここで記載される様々な実施形態に関連して使用され得る例示的なコンピュータシステムを示す、ブロック図である。
【発明を実施するための形態】
【００１０】
その構造および動作の両方に関する本発明の詳細は、添付された図面の検討によって部分的に調べられ得、同様の参照番号は類似した部位を示す。
【００１１】
ここで開示されるのは、ワイヤレス通信ネットワークを介してセットアップされるプッシュツートークコールを最適かするためのシステムおよび方法である。例えば、本明細書で開示される一つの方法は、複数の基地局を介して、ターゲットハンドセットに同報通信するためのＰＴＴコールアナウンスメッセージを可能にする複数の基地局は、ターゲットハンドセットが配置されると考えられる地理的領域をカバーする。したがって、ターゲットハンドセットを正確に位置付けるためにページメッセージを送信することによって導入される追加的なＰＴＴコールセットアップの遅延は除去される。
【００１２】
この記載を読んだ後に、様々な代替的な実施形態および代替的な応用において本発明をインプリメントする方法が、当業者に明らかになる。しかしながら、本発明の様々な実施形態がここで記載されるが、これらの実施形態は、例示のためのみに提示されており、限定を意図していないことが理解される。従って、様々な代替的な実施形態の詳細な記載は、添付された請求の範囲において説明されるような、本発明の範囲または広さを限定するように解釈されるべきではない。
【００１３】
図１は、プッシュツートークコールを容易にするように構成された、例示的なワイヤレス通信システム１０を示したネットワークの図である。システム１０は、ハンドセット２０および３０などのような、複数のワイヤレス通信デバイス（「ワイヤレス機器」および「ハンドセット」とも呼ばれる）を含む。ハンドセットは、基地局４０および５０などの、複数の基地局を介して、ワイヤレス通信ネットワーク３５と通信するように結合される。ＰＤＳＮ６０および７０などの、複数のパケットデータサービスノード（「ＰＤＳＮ」）はまた、ワイヤレス通信ネットワーク３５に接続される。それぞれのＰＤＳＮは、好ましくは、データ格納領域６２および７２などのデータ格納領域を用いて構成される。
【００１４】
ワイヤレス通信ネットワーク３５は、ネットワーク９０などの他の通信ネットワークと通信するように結合され得る。一実施形態において、ワイヤレス通信ネットワーク３５は、符号分割多重接続２０００（「ＣＤＭＡ２０００」）ネットワークであり、第３世代パートナーシッププロジェクト２（「３ＧＰＰ２」）によって発行される仕様であり、ここでその全体において援用される。例えば、ワイヤレス通信ネットワーク３５は、ＣＤＭＡ２０００リリースＡネットワークであり得る。ネットワーク９０は、回路交換電話ネットワークなどの様々なネットワークの任意、またはインターネットなどのようなパケットデータネットワークの任意であり得る。例示された実施形態において、ＰＴＴサーバ８０は、ネットワーク９０を介して、ＰＤＳＮおよびハンドセットと通信するように結合される。あるいは、ＰＴＴサーバ８０は、ワイヤレス通信ネットワーク３５の一部であり得る。ＰＴＴサーバ８０はまた、データ格納領域８２を用いて構成される。
【００１５】
当業者によって理解されるように、ワイヤレス通信ネットワーク３５を介したパケットデータ通信は、ＰＤＳＮ６０およびＰＤＳＮ７０などの複数のＰＤＳＮによって、ネットワーク全体に亘ってルートされ、さらにそれを越える（すなわち、ネットワーク９０へ）。ＰＴＴコールは、パケットデータとしてのハンドセット間の音声をキャリーするために、ボイスオーバーインターネットプロトコル（「ＶＯＩＰ」）を使用するパケットデータ通信である。
【００１６】
一般に、ＰＴＴコールにおいて、要求ハンドセットは、ターゲットハンドセットとの接続を確立し、呼出し者は電話に話し掛ける。その呼出し者の音声は、幾千（またはそれ以上）のデータパケットに分割され、ワイヤレス通信ネットワーク３５を介して、ＰＴＴサーバ８０にそれぞれ送信される。ＰＤＳＮは、ワイヤレス通信ネットワーク３５を介して、必要に応じて、ＰＴＴサーバ８０またはターゲットハンドセット３０のいずれかにおいて、これらのパケットの最終的な送り先まで、ルートする。確立されたＰＴＴコールの管理は、技術的に良く知られており、それゆえ、さらに詳細には記載しない。
【００１７】
図２は、ワイヤレス通信ネットワークを介した、プッシュツートークコールを確立するための例示的なメッセージのシーケンスを例示するフロー図である。例示された実施形態において、要求ハンドセット２０は、ターゲットハンドセット３０を用いてＰＴＴコールを要求する。ＰＴＴコールを確立するために、一連のメッセージが、ワイヤレス通信ネットワークを介して送信され、二つのハンドセットを通信するようにリンクする。付け加えて、例示された実施形態において、ＰＴＴサーバはプロセスを管理する。無線通信は、ハンドセット２０および３０のそれぞれの間、および、個々の基地局４０および５０の間にて生じる。二つの基地局が示されるが、ハンドセットが互いに近接している場合、単一の基地局が効果的であり得る。さらに、ハンドセットが移動している場合、次いで、追加的な基地局が要求され得る。
【００１８】
初めに、要求ハンドセット２０において、呼出し者はＰＴＴコールを開始する。例えば、呼出し者は、ハンドセット２０上の特定のボタンを押し得、ＰＴＴコールを開始するために、ユーザインターフェースを介して、一連のコマンドを入力し得る。いったん呼出し者がＰＴＴコールを確立するための命令を提供すると、ハンドセット２０はＣＡＬＬメッセージを基地局４０に送信する。ＣＡＬＬメッセージは、逆方向拡張アクセスチャンネル（「ＲＥＡＣＨ」：ｒｅｖｅｒｓｅ  ｅｎｈａｎｃｅｄ  ａｃｃｅｓｓ  ｃｈａｎｎｅｌ）を用いて無線にて送信され、ＲＥＡＣＨはデータ帯域幅の毎秒３８．４キロバイトまで提供することが可能である。
【００１９】
基地局４０が、ハンドセット２０からＣＡＬＬメッセージを受信した場合、基地局４０は、ＣＡＬＬメッセージをＰＴＴサーバ８０に転送する。このメッセージは、ワイヤレス広域ネットワーク（「ＷＷＡＮ」）の一部を介して、パケットデータとして送信される。ＰＴＴサーバが基地局からＣＡＬＬメッセージを受信した場合、ＰＴＴサーバ８０はＡＮＮＯＵＮＣＥメッセージを作成し、ターゲットハンドセット３０に送信する。ＰＴＴサーバ８０は、ＷＷＡＮを介して、そのＡＮＮＯＵＮＣＥメッセージを基地局制御器に送信し、その基地局制御器は、ハンドセット３０が配置される地理的領域をカバーする複数の基地局を管理する。
【００２０】
一実施形態において、ＰＡＧＥメッセージは複数の基地局を介して、正確にハンドセット３０を配置するために同報通信される。例えば、ＰＡＧＥメッセージは、順方向コマンド制御チャンネル（「ＦＣＣＣＨ」）などの制御チャンネルにおいて送信され得、ハンドセット３０によって受信される場合、ハンドセットは、ＲＥＡＣＨチャンネルにおいて送信されたＲＥＳＰＯＮＳＥメッセージを用いて返答する。ＲＥＳＰＯＮＳＥメッセージは、特定の基地局５０によって受信されるゆえ、ＰＡＧＥおよびＲＥＳＰＯＮＳＥメッセージの組み合わせ１００は、正確にハンドセット３０を検出する。いったん、ハンドセット３０が正確に検出されると、その同じ基地局５０はＡＮＮＯＵＮＣＥメッセージをＦＣＣＣＨチャンネルにおけるハンドセット３０に送信し、そのＡＮＮＯＵＮＣＥメッセージの受取りを承認し、ＰＴＴコールを許可するハンドセット３０からの応答を受信する。ハンドセット３０からのその応答メッセージは、ＡＮＮＯＵＮＣＥ  ＡＣＫＮＯＷＬＥＤＧＥＭＥＮＴ（「ＡＡＣＫ」）である。
【００２１】
あるいは、ＦＣＣＣＨチャンネルにおける複数の基地局を介してＰＡＧＥメッセージを同報通信するよりもむしろ、ＡＮＮＯＵＮＣＥメッセージそれ自体は、ＦＣＣＣＨチャンネルにおける複数の基地局を介して同報通信され得る。ＡＮＮＯＵＮＣＥメッセージのサイズはＰＡＧＥメッセージのサイズよりも大きいが、ワイヤレス通信ネットワークの負担となる追加的なリソースは、ＦＣＣＣＨチャンネルにおいて利用可能な重要な帯域幅のためにごく僅かである。従って、セットアッププロセスにおける追加的な時間は、ハンドセット３０が検出されると考えられる近隣の地理的領域をカバーする複数の基地局を介して、ＡＮＮＯＵＮＣＥメッセージを同報通信することによって、節約され得る。
【００２２】
有利なことに、ハンドセット３０は、ハンドセット３０が現在配置されている領域をカバーする基地局にＳＴＡＴＵＳメッセージを送信することによって、ネットワークを定期的に登録する。その登録プロセスは技術的に良く知られており、それゆえここではさらに詳細には記載しない。登録プロセスの利点は、それがネットワークを、ハンドセット３０が首尾良くコンタクトされると考えられる別個の限定された基地局のセットに提供することである。
【００２３】
いったんハンドセット３０がＡＡＣＫメッセージに返答すると、基地局５０は、ＷＷＡＮを介して、ＰＴＴサーバ８０へＡＡＣＫメッセージを転送する。次に、ＰＴＴサーバ８０は、基地局４０を介して、ＣＯＮＮＥＣＴＩＯＮ  ＳＴＡＴＵＳメッセージ１１０（「ＳＴＡＴＵＳ」）を、要求ハンドセット３０に送信する。基地局４０において、ＳＴＡＴＵＳメッセージ１１０は、ＦＣＣＣＨチャンネルにおいて、無線にてハンドセット３０に送信される。有利なことに、ＦＣＣＣＨチャンネルにおいて、ハンドセット３０にＳＴＡＴＵＳメッセージ１１０を送信することは、確立されるトラフィックチャンネルを待機することによって、および、次いで、トラフィックチャンネルにおいてハンドセット３０にＳＴＡＴＵＳメッセージ１１０を送信することによって生じ得る任意の遅延を避ける。
【００２４】
要求ハンドセット２０において、いったんＳＴＡＴＵＳメッセージ１１０が受信されると、ハンドセット２０はその音声チャンネルを開放し、呼出し者（すなわち、ハンドセット２０のユーザ）から受信された音声データを処理し始める。有利なことに、その処理された音声データは、トラフィックチャンネルが確立されるまで、ハンドセット２０上でバッファされ得る。いったんトラフィックチャンネルが確立されると、バッファされた音声は、トラフィックチャンネルにおけるワイヤレス通信ネットワークを介して、ハンドセット２０に送信され得、ＰＴＴコールが生じ得る。
【００２５】
図３は、ワイヤレス通信ネットワークにおける複数のセルを例示するブロック図である。例示された実施形態において、セル１２０、１４０、および１６０はそれ自体の地理的領域をカバーするそれぞれのセルを用いて示される。セル１２０、１４０、および１６０のそれぞれに、個々の基地局１３０、１５０、および１７０がある。ハンドセット２５はセル１６０に配置され、基地局１７０と無線通信を確立することが可能である。
【００２６】
ハンドセット２５がＰＴＴコールを要求する一実施形態において、ハンドセット２５は、ＦＣＣＣＨチャンネルにおける基地局１７０へＣＡＬＬメッセージを送信し、また、基地局１７０からＳＴＡＴＵＳメッセージを受信し、ＳＴＡＴＵＳメッセージは、ＦＣＣＣＨチャンネルにおいてハンドセット２５に送信される。
【００２７】
ハンドセット２５がＰＴＴコールのためのターゲットハンドセットである一実施形態において、基地局１３０、１５０、および１７０のそれぞれは、個々のセル１２０、１４０、および１６０において、ＡＮＮＯＵＮＣＥメッセージを同報通信することができる。従って、ハンドセット２５は、基地局１７０からＡＮＮＯＵＮＣＥメッセージを受信し、基地局１７０へ、無線にて適切なＡＡＣＫメッセージを送信し、前述したように、ＰＴＴサーバに戻す。
【００２８】
図４は、ワイヤレス通信機器における例示的な音声チャンネルを示すブロック図である。例示的な実施形態において、音声チャンネルは、マイクロフォン２００、コーデック２１０、およびボコーダ２２０を含む。追加的な、または少なくされた（例えば、組み合わされた）構成要素はまた、当業者によって理解されるように、音声チャンネルを含み得る。付け加えて、データ格納領域２３２を用いて構成されるプロセッサ２３０が示される。
【００２９】
通常動作の間、コールまたは他の音声入力機能が進行中ではない場合、音声チャンネルの構成要素はオフにされている。例えば、マイクロフォン２００はミュートされ得、コーデック２１０およびボコーダ２２０から、電力を抑えられ得る。有利なことに、必要でない場合に音声チャンネルをオフにすることは、ハンドセット上の貴重なシステムリソースを節約することができる。
【００３０】
一実施形態において、ハンドセットが基地局からＳＴＡＴＵＳメッセージを受信する場合、ＰＴＴコールのためのトラフィックチャンネルがまだ確立されていないが、プロセッサ２３０は、音声チャンネルに、呼出し者がＰＴＴコールを開始することを可能にさせる。例えば、プロセッサ２３０は、マイクロフォンをミュートではない状態にし得、コーデック２１０およびボコーダ２２０をアクティベートさせ、その結果、呼出し者からの音声入力（つまり声）が、コーデック２１０およびボコーダ２２０によって処理され得る。この処理された音声信号は、データ格納領域２３２において、プロセッサ２３０によって格納され得る。データ格納領域はＦＬＡＳＨメモリ、バッファ、あるいは、揮発性または不揮発性記憶装置の任意のタイプであり得る。いったんトラフィックチャンネルが確立されると、処理されバッファされた音声コンテンツは、トラフィックチャンネルにおけるワイヤレス通信ネットワークを介して、ターゲットハンドセットに送信され得る。
【００３１】
図５は、ワイヤレス通信ネットワークを介したプッシュツートークコールを確立するための、例示的な要求ハンドセットプロセスを示す、フロー図である。最初に、ステップ３１０において、要求ハンドセットは、呼出し者からＰＴＴ開始命令を受信する。例えば、呼出し者はハンドセット上の特定のボタンを押し得、ＰＴＴコールを開始し得る。代替的に、または、組み合わせて、呼出し者は、ユーザインターフェースを介して、様々なメニューアイテム、アイコン、またはＰＴＴコールを開始する選択を選択するためにナビゲートし得る。
【００３２】
いったんＰＴＴコールが呼出し者によって、ハンドセット上にて開始されると、ステップ３２０において、ハンドセットは、そのハンドセットが配置される特定の地理的セルラー領域をカバーする基地局へ、無線にて、ＣＡＬＬ要求メッセージを送信する。ＣＡＬＬ要求は、ＲＥＡＣＨ制御チャンネルにおいて送信される。コール要求への応答において、ステップ３３０において、ハンドセットは、ＰＴＴコールの確立を確認する、基地局からの無線通信を受信する。この接続ＳＴＡＴＵＳメッセージは、トラフィックチャンネルが、ＰＴＴコールの間、ＶＯＩＰデータパケットをキャリーするために解放されていることを必ずしも確認するわけではなく、むしろ、ターゲットハンドセットが配置され、ＰＴＴコールに利用可能であることを示す。この接続ＳＴＡＴＵＳメッセージは、ＦＣＣＣＨ制御チャンネルにおけるハンドセットによって受信される。
【００３３】
いったんＳＴＡＴＵＳメッセージが受信されると、ハンドセットは、次に、ステップ３４０において、その音声チャンネルをアクティベートし、その結果、ＰＴＴコールが開始され得る。付け加えて、ハンドセットはまた、呼出し者に、それが音声入力を受信する準備が整ったことを示し得る。この点において、呼出し者からのハンドセットによって受信された任意の音声データ（つまり音声入力）は、音声チャンネルにおいて処理され、ステップ３５０において示されるように、ハンドセット上にてバッファされる。ハンドセットは、処理された音声データをバッファし続け、ステップ３６０においてハンドセットによって決定されるように、確立されるＰＴＴコールのためのトラフィックチャンネルを待機する。トラフィックチャンネルが確立されない間は、ハンドセットは、処理された音声データをバッファし続ける。いったんトラフィックチャンネルが確立されると、ステップ３７０において、ハンドセットは、バッファされた音声データを、トラフィックチャンネルにおけるターゲットハンドセットへ送信し、その後、ＰＴＴコールが生じる。
【００３４】
図６は、ワイヤレス通信ネットワークを介したプッシュツートークコールを確立するための例示的なターゲットハンドセットプロセスを示すフロー図である。最初に、ステップ４００において、ターゲットハンドセットは、基地局から無線通信にてＡＮＮＯＵＮＣＥメッセージを受信する。ＡＮＮＯＵＮＣＥメッセージは、ＦＣＣＣＨ制御チャンネルにおけるハンドセットによって受信される。ＡＮＮＯＵＮＣＥメッセージを受信すると、ハンドセットは、ステップ４１０において示されるように、ＡＡＣＫメッセージを基地局に送信する。ＡＡＣＫメッセージは、ＲＥＡＣＨ制御チャンネルにおいて送信される。
【００３５】
次に、ステップ４２０において、ターゲットハンドセットは、ＰＴＴサーバへルートするＲＥＡＣＨチャンネルにおいて、ＣＡＬＬ要求を送信し、その結果、ＰＴＴコールのためのトラフィックチャンネルは、ターゲットハンドセットのために確立され得る。ＣＡＬＬ要求への応答において、ハンドセットは、ステップ４３０において示されるように、チャンネル割り当てを受信する。いったん、チャンネルがＰＴＴコールのために割り当てられると、ハンドセットは次いで、ステップ４４０において、その割り当てられたトラフィックチャンネルにおいて音声の受信を開始し、要求ハンドセットとターゲットハンドセットとの間のＰＴＴコールが生じる。
【００３６】
図７は、ここで記載される様々な実施形態に関連して使用され得る、例示的なワイヤレス通信機器４５０を示すブロック図である。例えば、ワイヤレス通信機器４５０は、図１に関連して以前に記載されたように、要求ハンドセットまたはターゲットハンドセットとして用いられ得る。しかしながら、他のワイヤレス通信機器および／または構成が利用され得、それは当業者に明らかである。
【００３７】
例示された実施形態において、ワイヤレス通信機器４５０は、アンテナ４５２、マルチプレクサ４５４、低ノイズアンプ（「ＬＮＡ」）４５６、パワーアンプ（「ＰＡ」）４５８、変調回路４６０、ベースバンドプロセッサ４６２、スピーカ４６４、マイクロフォン４６６、中央処理ユニット（「ＣＰＵ」）４６８、データ格納領域４７０、およびハードウェアインターフェース４７２を含む。ワイヤレス通信機器４５０において、無線周波数（「ＲＦ」）信号が、アンテナ４５２によって送信および受信される。マルチプレクサ４５４はスイッチとしてアクトし、送信信号パスと受信信号パスとの間でアンテナ４５２を結合する。受信パスにおいて、受信されたＲＦ信号は、マルチプレクサ４５４からＬＮＡ４５６へ結合される。ＬＮＡ４５６は受信されたＲＦ信号を増幅し、その増幅された信号を、変調回路４６０の復調部分へ結合させる。
【００３８】
通常、変調回路４６０は、一つの集積回路（「ＩＣ」）において、復調器および変調器を組み合わせる。復調器および変調器はまた、別個の構成要素であり得る。復調器は、ＲＦキャリア信号を除去し（ｓｔｒｉｐ  ａｗａｙ）、ベースバンド受信音声信号を残し、その音声信号は、ベースバンドプロセッサ４６２へ復調器出力から送信される。
【００３９】
ベースバンド受信音声信号は音声情報を含む場合、次いでベースバンドプロセッサ４６２は信号をデコードし、それをアナログ信号に変換する。次いで、信号は増幅され、スピーカ４６４に送信される。ベースバンドプロセッサ４６２はまた、マイクロフォン４６６からアナログ音声信号を受信する。これらのアナログ音声信号はデジタル信号に変換され、ベースバンドプロセッサ４６２によってエンコードされる。ベースバンドプロセッサ４６２はまた、送信のためにデジタル信号をコード化し、変調回路４６０の変調器部分にルートされる、ベースバンド送信音声信号を生成する。変調器は、ベースバンド送信音声信号を、パワーアンプ４５８にルートされるＲＦ送信信号を生成するＲＦキャリア信号とミックスする。パワーアンプ４５８はＲＦ送信信号を増幅し、マルチプレクサ４５４へそれをルートし、そこで、その信号は、アンテナ４５２よる送信のために、アンテナポートにスイッチされる。
【００４０】
ベースバンドプロセッサ４６２はまた、中央処理ユニット４６８と通信するように結合される。中央処理ユニット４６８は、データ格納領域４７０にアクセスを有する。中央処理ユニット４６８は、好ましくは、データ格納領域４７０に格納され得る命令（すなわちコンピュータプログラムまたはソフトウェア）を実行するように構成される。コンピュータプログラムはまた、ベースバンドプロセッサ４６２から受信され得、データ格納領域４７０において格納され得、または、受信すると実行され得る。そのようなコンピュータプログラムは、実行された場合、ワイヤレス通信機器４５０に、前述したように、本発明の様々な機能を実行させることができる。
【００４１】
この記載において、用語「コンピュータ可読媒体」は、中央処理ユニット４６８による実行のために、実行可能な命令（例えば、ソフトウェアおよびコンピュータプログラム）をワイヤレス通信機器４５０に提供するために使用される任意の媒体を意味するために使用される。これらの媒体の例は、データ格納領域４７０、マイクロフォン４６６（ベースバンドプロセッサ４６２を介した）、アンテナ４５２（これもまた、ベースバンドプロセッサ４６２を介した）、およびハードウェアインターフェース４７２を含む。これらのコンピュータ可読媒体は、実行可能なコード、プログラミング命令、およびソフトウェアを、ワイヤレス通信機器４５０に提供するための手段である。実行可能なコード、プログラミング命令、およびソフトウェアは、中央処理ユニット４６８によって実行される場合、好ましくは、中央処理ユニット４６８に、前述した本発明の特徴および機能を実行させる。
【００４２】
中央処理ユニットはまた、好ましくは、新しい機器がハードウェアインターフェースによって検出された場合、ハードウェアインターフェース４７２からの通知を受信するように構成される。ハードウェアインターフェース４７２は、ＣＰＵ４６８と通信し、新しい機器とインタラクトする制御ソフトウェアを用いた、組み合わせの電気機械式検出器であり得る。
【００４３】
図８は、ここで記載される様々な実施形態に関連するために使用され得る例示的なコンピュータシステム５５０を示すブロック図である。例えば、コンピュータシステム５５０は、図１に関連して以前に記載されたような、プッシュツートークサーバまたはパケットデータサービスノードに関連して使用され得る。しかしながら、他のコンピュータシステムおよび／または構成が使用され得、それは当業者には明らかである。
【００４４】
コンピュータシステム５５０は、好ましくは、プロセッサ５５２などの一つ以上のプロセッサを含む。入力／出力を管理するための補助プロセッサ、浮動小数点数学演算（ｆｌｏａｔｉｎｇ  ｐｏｉｎｔ  ｍａｔｈｅｍａｔｉｃａｌ  ｏｐｅｒａｔｉｏｎ）を実行するための補助プロセッサ、信号処理アルゴリズムの迅速な実行に適当な構成を有する特定目的用マイクロプロセッサ（例えば、デジタル信号プロセッサ）、メイン処理システムに従属するスレーブプロセッサ（例えば、バックエンドプロセッサ）、デュアルまたはマルチ処理システムのための追加的なマイクロプロセッサまたは制御器、あるいはコプロセッサなどの追加的なプロセッサが提供され得る。そのような補助プロセッサは、別個のプロセッサであり得るか、プロセッサ５５２に統合され得る。
【００４５】
プロセッサ５５２は、好ましくは、通信バス５５４に接続される。通信バス５５４は、コンピュータシステム５５０の記憶装置と他の周辺構成要素との情報転送を用意にするためのデータチャンネルを含み得る。通信バス５５４は、プロセッサ５５２と通信するために使用される信号のセットをさらに提供し得、通信バス５５４は、データバス、アドレスバス、制御バス（図示されず）を含む。通信バス５５４は、例えば、工業標準アーキテクチャ（「ＩＳＡ」）、拡張業界標準アーキテクチャ（「ＥＩＳＡ」）、マイクロチャンネルアーキテクチャ（「ＭＣＡ」）、周辺構成要素相互接続（「ＰＣＩ」）ローカルバス、または、ＩＥＥＥ４８８汎用インターフェースバス（「ＧＰＩＢ」）、ＩＥＥＥ６９６／Ｓ−１００などを含む、電気電子技術協会（「ＩＥＥＥ」）によって公表されている規格に従うバス構成などの、任意の基準または非基準バス構成を含み得る。
【００４６】
コンピュータシステム５５０は、好ましくは、メインメモリ５５６を含み、または、セカンダリメモリ５５８を含み得る。メインメモリ５５６は、プロセッサ５５２上で実行するプログラムのための命令およびデータの記憶装置を提供する。メインメモリ５５６は、通常は、ダイナミックランダムアクセスメモリ（「ＤＲＡＭ」）および／またはスタティックランダムアクセスメモリ（「ＳＲＡＭ」）などの、半導体ベースのメモリである。他の半導体ベースのメモリタイプは、例えば、シンクロナスダイナミックランダムアクセスメモリ（「ＳＤＲＡＭ」）、ラムバスダイナミックランダムアクセスメモリ（「ＲＤＲＡＭ」）、強誘電性（ｆｅｒｒｏｅｌｅｃｔｒｉｃ）ランダムアクセスメモリ（「ＦＲＡＭ」）などを含み、読み出し専用メモリ（「ＲＯＭ」）を含む。
【００４７】
セカンダリメモリ５５８は、必要に応じて、ハードディスクドライブ５６０および／または、フロッピー（登録商標）ディスクドライブ、磁気テープドライブ、コンパクトディスク（「ＣＤ」）ドライブ、デジタルバーサタイルディスク（「ＤＶＤ」）ドライブなどの、リムーバブル記憶装置ドライブ５６２を含む。リムーバブル記憶装置ドライブ５６２は、既知の方法において、リムーバブル記憶装置媒体５６４へ読み出しおよび／または書き込みをする。リムーバブル記憶装置媒体５６４は、例えば、フロッピー（登録商標）ディスク、磁気テープ、ＣＤ、ＤＶＤなどであり得る。
【００４８】
リムーバブル記憶装置媒体５６４は、好ましくは、そこに格納されるコンピュータ実行可能コード（つまりソフトウェア）および／またはデータを有する、コンピュータ可読媒体である。コンピュータソフトウェア、またはリムーバブル記憶装置媒体５６４に格納されたデータは、電気通信信号５７８として、コンピュータシステム５５０に読み出される。
【００４９】
代替的な実施形態において、セカンダリメモリ５５８は、他の類似した手段を含み得、コンピュータプログラムまたは他のデータ、あるいは命令を、コンピュータシステム５５０へロードさせ得る。そのような手段は、例えば、外部記憶装置媒体５７２およびインターフェース５７９を含み得る。外部記憶装置媒体５７２の例は、外部ハードディスクドライブまたは外部光学ドライブ、あるいは、外部光磁気ドライブを含み得る。
【００５０】
セカンダリメモリ５５８の他の例は、プログラマブル読み出し専用メモリ（「ＰＲＯＭ」）、消去可能プログラマブル読み出し専用メモリ（「ＥＰＲＯＭ」）、電気的消去可能読み出し専用メモリ（「ＥＥＰＲＯＭ」）、またはフラッシュメモリ（ＥＥＰＲＯＭに類似したブロック向きメモリ）などの、半導体ベースのメモリを含み得る。任意の他のリムーバブル記憶装置ユニット５７２およびインターフェース５７０もまた含まれ、それらは、ソフトウェアおよびデータが、リムーバブル記憶装置ユニット５７２からコンピュータシステム５５０へ転送させ得る。
【００５１】
コンピュータシステム５５０はまた、通信インターフェース５７４を含み得る。通信インターフェース５７４は、ソフトウェアおよびデータを、コンピュータシステム５５０と外部装置（例えばプリンタ）、ネットワーク、または情報ソースとの間に転送させ得る。例えば、コンピュータソフトウェアまたは実行可能なコードは、通信インターフェース５７４を介して、ネットワークサーバからコンピュータシステム５５０に転送され得る。通信インターフェース５７４の例は、２，３の例を挙げるとすれば、モデム、ネットワークインターフェースカード（「ＮＩＣ」）、通信ポート、ＰＣＭＣＩＡスロットおよびカード、赤外線インターフェース、およびＩＥＥＥ１３９４ファイア−ワイヤを含む。
【００５２】
通信インターフェース５７４は、好ましくは、イーサネット（登録商標）ＩＥＥＥ８０２標準、ファイバチャンネル、デジタル加入者回線（「ＤＳＬ」）、非対称デジタル加入者回線（「ＡＤＳＬ」）、フレームリレー、非同期転送モード（「ＡＴＭ」）、統合デジタルサービスネットワーク（「ＩＳＤＮ」）、パーソナル通信サービス（「ＰＣＳ」）、伝送制御プロトコル／インターネットプロトコル（「ＴＣＰ／ＩＰ」）、シリアルラインＩＰ／ポイントツーポイントプロトコル（「ＳＬＩＰ／ＰＰＰ」）などをインプリメントするが、カスタマイズされた、または非標準インターフェースプロトコルもまたインプリメントし得る。
【００５３】
通信インターフェース５７４を介して転送されたソフトウェアおよびデータベースは、通常、電気通信信号５７８の形式である。これらの信号５７８は、好ましくは、通信チャンネル５７６を介した通信インターフェース５７４に提供される。通信チャンネル５７６は信号５７８をキャリーし、２，３の例を挙げれば、ワイヤまたはケーブル、光ファイバ、従来の電話線、携帯電話リンク、無線周波数（ＲＦ）リンク、または赤外線リンクを含む、様々な通信手段を用いてインプリメントされ得る。
【００５４】
コンピュータ実行可能コード（すなわち、コンピュータプログラムまたはソフトウェア）は、メインメモリ５５６および／またはセカンダリメモリ５５８において格納される。コンピュータプログラムはまた、通信インターフェース５７４を介して受信され得、メインメモリ５５６および／またはセカンダリメモリ５５８において格納され得る。そのようなコンピュータプログラムは、実行される場合、コンピュータシステム５５０に、以前に記載されたように、本発明の様々な機能を実行させ得る。
【００５５】
この記載において、用語「コンピュータ可読媒体」は、コンピュータ実行可能なコード（例えば、ソフトウェアおよびコンピュータプログラム）をコンピュータシステム５５０に提供するために使用される任意の媒体を意味するために使用される。これらの媒体の例は、メインメモリ５５６、セカンダリメモリ５５８（ハードディスクドライブ５６０、リムーバブル記憶装置媒体５６４、および外部記憶装置媒体５７２を含む）、および、通信インターフェース５７４と通信するように結合される任意の周辺機器（ネットワーク情報サーバまたは他のネットワーク機器を含む）を含む。これらのコンピュータ可読媒体は、実行可能なコード、プログラミング命令、およびソフトウェアをコンピュータシステム５５０に提供するための手段である。
【００５６】
ソフトウェアを使用してインプリメントされる一実施形態において、ソフトウェアは、コンピュータ可読媒体に格納され得、リムーバブル記憶装置ドライブ５６２、インターフェース５７０、または通信インターフェース５７４などの方法によって、コンピュータシステム５５０にロードされる。そのような実施形態において、ソフトウェアは、電気通信信号５７８の形式において、コンピュータシステム５５０にロードされる。ソフトウェアは、プロセッサ５５２によって実行される場合、好ましくは、プロセッサ５５２に、以前に記載した、本発明の特性および機能を実行させる。
【００５７】
様々な実施形態がまた、特定用途向け集積回路（「ＡＳＩＣ」）、またはフィールドプログラマブルゲートアレイ（「ＦＰＧＡ」）などの構成要素を用いたハードウェアにおいて第１にインプリメントされ得る。ここで記載される機能を実行することが可能であるハードウェア状態機械のインプリメンテーションはまた、当業者において明らかである。様々な実施形態がまた、ハードウェアおよびソフトウェアの組み合わせを用いてインプリメントされ得る。
【００５８】
ここで示され、詳細に記載される特定のシステムおよび方法が、本発明の上記された目的を達成することが十分に可能である一方で、ここで提供される記載および図面は、本発明の好ましい実施形態を表し、それゆえ、本発明によって広く検討された主題を示すことは理解されたい。本発明の範囲は、当業者にとって明らかであり得る他の実施形態を十分に包括し、および、本発明の範囲は、従って、添付された請求の範囲以外の何ものによっても限定されないこともさらに理解されたい。
【図１】
2011050078.tif 000003
【図２】
2011050078.tif 000004
【図４】
2011050078.tif 000005
【図５】
2011050078.tif 000006
【図６】
2011050078.tif 000007
【図７】
2011050078.tif 000008
【図８】
2011050078.tif 000009
【図３】
2011050078.tif 000010